(57)【要約】      （修正有）【課題】両面用の再搬送路を通して片面印刷できない場合に対して、両面用の再搬送路を通して片面印刷するモードが設定されることを防止することができる画像形成装置を提供する。【解決手段】給紙部から搬送路へ搬送された用紙の第一面に画像形成部により画像を形成し、画像が形成された用紙を、再搬送路を介さずに排出部へ排出する第一のモードと、給紙部から搬送路へ搬送された用紙の第一面に画像形成部により画像を形成せずに、用紙を反転部により反転し、再搬送路を通して搬送路へ搬送された用紙の第二面に画像形成部により画像を形成し、用紙を排出部へ排出する第二のモードとで片面印刷を行う画像形成装置において、第二のモードで片面印刷することができない用紙に対して第二のモードが設定された場合に警告画面を表示する。【選択図】図７
2019161533.tif 000002
【特許請求の範囲】
【請求項１】
用紙が積載される給紙部と、
前記給紙部から給送された前記用紙が搬送される搬送路と、
前記搬送路を搬送される前記用紙に画像を形成する画像形成部と、
前記画像形成部を通過した前記用紙を反転させる反転部と、
前記反転部により反転された前記用紙が搬送される再搬送路と、
前記画像が形成された前記用紙が排出される排出部と、
用紙種類および片面印刷または両面印刷の印刷設定を含む印刷ジョブを受け付ける制御部と、
ユーザが前記用紙種類に対応する属性情報に第一のモード又は第二のモードを設定するための操作部と、
を備え、
前記印刷設定が前記両面印刷である場合、前記制御部は、前記給紙部から前記搬送路へ搬送された用紙の第一面に前記画像形成部により画像を形成し、前記画像が形成された前記用紙を前記反転部により反転し、前記再搬送路を通して前記搬送路へ搬送された前記用紙の前記第一面と反対の第二面に前記画像形成部により画像を形成し、前記用紙を前記排出部へ排出し、
前記印刷設定が前記片面印刷であり前記属性情報に前記第一のモードが設定されている場合、前記制御部は、前記給紙部から前記搬送路へ搬送された用紙の第一面に前記画像形成部により画像を形成し、前記画像が形成された前記用紙を、前記再搬送路を介さずに前記排出部へ排出し、
前記印刷設定が前記片面印刷であり前記属性情報に前記第二のモードが設定されている場合、前記制御部は、前記給紙部から前記搬送路へ搬送された用紙の第一面に前記画像形成部により画像を形成せずに、前記用紙を前記反転部により反転し、前記再搬送路を通して前記搬送路へ搬送された前記用紙の前記第一面と反対の第二面に前記画像形成部により画像を形成し、前記用紙を前記排出部へ排出し、
前記制御部は、前記用紙種類が前記第二のモードで印刷できない用紙である場合、前記操作部により前記属性情報に前記第二のモードが設定されたときに、前記ユーザへ注意を喚起する画面を前記操作部に表示させることを特徴とする画像形成装置。
【請求項２】
前記第二のモードで印刷できない前記用紙は、表面に片面印刷され裏面だけ白紙として利用できる裏紙であることを特徴とする請求項１に記載の画像形成装置。
【請求項３】
前記給紙部、前記搬送路、前記画像形成部、前記反転部、前記再搬送路および前記排出部は、前記給紙部に積載された前記用紙の上面が前記両面印刷と前記第一のモードが設定された前記片面印刷とで異なる向きで前記排出部へ排出されるように構成され、且つ、
前記給紙部、前記搬送路、前記画像形成部、前記反転部、前記再搬送路および前記排出部は、前記給紙部に積載された前記用紙の前記上面が前記両面印刷と前記第二のモードが設定された前記片面印刷とで同じ向きで前記排出部へ排出されるように構成されていることを特徴とする請求項１又は２に記載の画像形成装置。
【請求項４】
用紙が積載される複数の給紙部と、
前記複数の給紙部から給送された前記用紙が搬送される搬送路と、
前記搬送路を搬送される前記用紙に画像を形成する画像形成部と、
前記画像形成部を通過した前記用紙を反転させる反転部と、
前記反転部により反転された前記用紙が搬送される再搬送路と、
前記画像が形成された前記用紙が排出される排出部と、
用紙種類および片面印刷または両面印刷の印刷設定を含む印刷ジョブを受け付ける制御部と、
ユーザが前記用紙種類に対応する属性情報に第一のモード又は第二のモードを設定し、前記複数の給紙部に前記用紙種類を設定するための操作部と、
を備え、
前記印刷設定が前記両面印刷である場合、前記制御部は、前記給紙部から前記搬送路へ搬送された用紙の第一面に前記画像形成部により画像を形成し、前記画像が形成された前記用紙を前記反転部により反転し、前記再搬送路を通して前記搬送路へ搬送された前記用紙の前記第一面と反対の第二面に前記画像形成部により画像を形成し、前記用紙を前記排出部へ排出し、
前記印刷設定が前記片面印刷であり前記属性情報に前記第一のモードが設定されている場合、前記制御部は、前記給紙部から前記搬送路へ搬送された用紙の第一面に前記画像形成部により画像を形成し、前記画像が形成された前記用紙を、前記再搬送路を介さずに前記排出部へ排出し、
前記印刷設定が前記片面印刷であり前記属性情報に前記第二のモードが設定されている場合、前記制御部は、前記給紙部から前記搬送路へ搬送された用紙の第一面に前記画像形成部により画像を形成せずに、前記用紙を前記反転部により反転し、前記再搬送路を通して前記搬送路へ搬送された前記用紙の前記第一面と反対の第二面に前記画像形成部により画像を形成し、前記用紙を前記排出部へ排出し、
前記制御部は、前記用紙種類に対応する前記属性情報に前記第二のモードが設定されているときに前記操作部により前記用紙種類が設定された給紙部が前記用紙を前記搬送路へ搬送できない場合、前記ユーザへ注意を喚起する画面を前記操作部に表示させることを特徴とする画像形成装置。
【請求項５】
前記用紙を前記搬送路へ搬送できない前記給紙部は、前記画像形成部により前記画像が形成された前記用紙に用紙を挿入するインサータであることを特徴とする請求項４に記載の画像形成装置。
【発明の詳細な説明】
【技術分野】
【０００１】
本発明は、片面印刷および両面印刷を行う画像形成装置に関する。
【背景技術】
【０００２】
画像形成装置の構成として、用紙を垂直方向へ搬送しながら用紙に印刷する構成（以下、縦パス機という）と、用紙を水平方向へ搬送しながら用紙に印刷する構成（以下、横パス機という）がある。例えば、縦パス機の片面印刷においては、給送カセットにセットした用紙の上面（第一面）に表面（第一頁）の画像が印刷され、表面の画像が印刷された（セットされた用紙の）上面を下に向けて用紙が排出される。一方、縦パス機の両面印刷においては、給送カセットにセットされた用紙の上面に裏面（第二頁）の画像が印刷される。その後、両面搬送路で用紙が反転され、用紙の下面（第二面）に表面（第一頁）の画像が印刷され、表面の画像が印刷された（セットされた用紙の）下面を下に向けて用紙が排出される。つまり、縦パス機において、片面印刷と両面印刷では、表面の画像が、給送カセットにセットされた用紙の上面と下面のどちらに印刷されるかが異なる。そのため、縦パス機では、プレプリント紙やパンチ済み紙など表面と裏面が異なる用紙へ画像を印刷する場合、片面印刷を行うか両面印刷を行うかに従って用紙の表面と裏面のどちらを上に向けて給送カセットにセットするかが変わる。
【０００３】
ここで、片面印刷時に、給紙部の属性に従って、用紙の上面に表面の画像を印刷せずに用紙を両面搬送路へ通して用紙を反転させ、用紙の下面に表面の画像を印刷する方法が知られている。また、両面印刷時に、用紙の種類に従って、用紙の下面に表面の画像を印刷せずに用紙を両面搬送路へ通して用紙を反転させ、用紙の上面に表面の画像を印刷し、用紙の下面に裏面の画像を印刷する技術がある（特許文献１）。これらにより、縦パス機においても、片面印刷と両面印刷で用紙の上下のセット方向を変更する必要がなくなる。
【先行技術文献】
【特許文献】
【０００４】
【特許文献１】特開２００３−５０４８２号公報
【発明の概要】
【発明が解決しようとする課題】
【０００５】
しかしながら、前述した給紙部の属性に従って片面印刷で両面搬送路を通す技術は、用紙の上面と下面が同等な用紙でも片面印刷で両面搬送路を通すので、印刷が遅くなる。また、特許文献１では、両面印刷の前に用紙を反転するので印刷が遅くなる。そこで、用紙種類に対応する属性情報に従って、用紙を両面搬送路へ通さない第一のモードと用紙を両面搬送路へ通す第二のモードで片面印刷を行うことが提案されている。しかし、用紙を両面搬送路へ通す第二のモードで片面印刷を行うことができない用紙や給紙部がある。そこで、このような用紙や給紙部に誤って第二のモードで片面印刷を行う属性情報が設定されることを防止する必要がある。
【０００６】
そこで、本発明は、用紙を再搬送路へ通して片面印刷ができない場合に対して、用紙を再搬送路へ通して片面印刷するモードが誤って設定されないようにユーザへ注意を喚起する画面を表示する画像形成装置を提供する。
【課題を解決するための手段】
【０００７】
本発明の一実施例による画像形成装置は、
用紙が積載される給紙部と、
前記給紙部から給送された前記用紙が搬送される搬送路と、
前記搬送路を搬送される前記用紙に画像を形成する画像形成部と、
前記画像形成部を通過した前記用紙を反転させる反転部と、
前記反転部により反転された前記用紙が搬送される再搬送路と、
前記画像が形成された前記用紙が排出される排出部と、
用紙種類および片面印刷または両面印刷の印刷設定を含む印刷ジョブを受け付ける制御部と、
ユーザが前記用紙種類に対応する属性情報に第一のモード又は第二のモードを設定するための操作部と、
を備え、
前記印刷設定が前記両面印刷である場合、前記制御部は、前記給紙部から前記搬送路へ搬送された用紙の第一面に前記画像形成部により画像を形成し、前記画像が形成された前記用紙を前記反転部により反転し、前記再搬送路を通して前記搬送路へ搬送された前記用紙の前記第一面と反対の第二面に前記画像形成部により画像を形成し、前記用紙を前記排出部へ排出し、
前記印刷設定が前記片面印刷であり前記属性情報に前記第一のモードが設定されている場合、前記制御部は、前記給紙部から前記搬送路へ搬送された用紙の第一面に前記画像形成部により画像を形成し、前記画像が形成された前記用紙を、前記再搬送路を介さずに前記排出部へ排出し、
前記印刷設定が前記片面印刷であり前記属性情報に前記第二のモードが設定されている場合、前記制御部は、前記給紙部から前記搬送路へ搬送された用紙の第一面に前記画像形成部により画像を形成せずに、前記用紙を前記反転部により反転し、前記再搬送路を通して前記搬送路へ搬送された前記用紙の前記第一面と反対の第二面に前記画像形成部により画像を形成し、前記用紙を前記排出部へ排出し、
前記制御部は、前記用紙種類が前記第二のモードで印刷できない用紙である場合、前記操作部により前記属性情報に前記第二のモードが設定されたときに、前記ユーザへ注意を喚起する画面を前記操作部に表示させることを特徴とする。
【発明の効果】
【０００８】
本発明によれば、用紙を再搬送路へ通して片面印刷ができない場合に対して、用紙を再搬送路へ通して片面印刷するモードが誤って設定されないようにユーザへ注意を喚起する画面を表示することができる。
【図面の簡単な説明】
【０００９】
【図１】ＭＦＰを示す図。
【図２】ＭＦＰの制御システムのブロック図。
【図３】操作部を示す図。
【図４】用紙属性編集画面及び用紙属性設定画面を示す図。
【図５】片面印刷において印刷面優先モードがＯＦＦである場合の用紙の搬送経路を示す図。
【図６】両面印刷における用紙の搬送経路を示す図。
【図７】ＣＰＵにより実行される用紙属性設定における禁止動作を示す流れ図。
【図８】ユーザへ注意を喚起する画面の例を示す図。
【図９】用紙設定画面及び用紙ＩＤ設定画面を示す図。
【図１０】ＣＰＵにより実行される用紙ＩＤ設定における禁止動作を示す流れ図。
【図１１】ユーザへ注意を喚起する画面の例を示す図。
【発明を実施するための形態】
【００１０】
以下、本発明を実施するための形態について図面を用いて説明する。
【実施例１】
【００１１】
（画像形成装置）
図１を参照して、記録媒体（以下、用紙という）に画像を形成する画像形成装置の一例として複合機（Multi-Function Peripheral）（以下、ＭＦＰという）１００を説明する。図１は、ＭＦＰ１００を示す図である。ＭＦＰ１００は、原稿の画像を読み取るスキャナ部（読取部）３０１と、用紙に画像を形成するプリンタ部（画像形成部）３０２と、画像が形成された用紙に製本処理を行うフィニッシャ（後処理部）１０４とを有する。画像入力デバイスとしてのスキャナ部３０１は、プラテンガラス（不図示）上に載置された原稿を照明し、原稿からの反射光をＣＣＤラインセンサにより走査して、原稿の画像を画像データへ変換する。変換された画像データに基づいて、原稿のカラー判定やサイズ判定が行われる。画像出力デバイスとしてのプリンタ部３０２は、画像データに基づいて用紙に画像を印刷する。本実施例において、プリンタ部３０２は、電子写真方式を用いて用紙に画像を形成する。しかし、プリンタ部３０２は、電子写真方式に限らず、インクジェット方式、静電方式、熱転写方式など様々な種類のプリント方式で用紙に画像を形成してもよい。プリンタ部３０２の下部には、給送カセット６０１が設けられている。用紙は、給送カセット６０１内に積載されている。用紙は、例えば、普通紙、再生紙、厚紙、第二原図紙、ＯＨＰ用紙、色紙、プレパンチ紙、プレ印刷紙、レターヘッド又はラベル紙である。フィニッシャ１０４は、画像が形成された用紙にステイプルや折りなどの製本処理を行う。プリント動作の起動や停止は、ＭＦＰ１００の本体に設けられたコントローラ１０１のＣＰＵ２０１（図２）により制御される。
【００１２】
（制御システム）
図２は、ＭＦＰ１００の制御システム１０のブロック図である。制御システム１０は、ＭＦＰ１００の全体を制御するコントローラ１０１を有する。コントローラ１０１は、スキャナ部３０１を制御するスキャナエンジン１０２及びプリンタ部３０２を制御するプリンタエンジン１０３に電気的に接続される。コントローラ１０１は、フィニッシャ１０４、ネットワークインターフェース１０５、操作部１０６及びモデム１０８に電気的に接続される。スキャナエンジン１０２及びプリンタエンジン１０３は、コントローラ１０１により制御される。プリンタエンジン１０３は、フィニッシャ１０４に電気的に接続される。フィニッシャ１０４は、プリンタ部３０２から出力される複数の用紙をまとめてステイプル処理できる。フィニッシャ１０４は、コントローラ１０１又はプリンタエンジン１０３により制御される。
【００１３】
ネットワークインターフェース１０５は、外部機器とコントローラ１０１との双方向通信を提供する。ネットワークインターフェース１０５は、ローカルエリアネットワーク（以下、ＬＡＮという）２２０を介して外部機器としてのパーソナルコンピュータ（以下、ＰＣという）１０７に接続される。コントローラ１０１は、ネットワークインターフェース１０５を介してＰＣ１０７と双方向通信接続が可能である。モデム１０８は、公衆回線網１０９に接続する。コントローラ１０１は、モデム１０８を介してファクシミリ画像の入出力を行う。操作部１０６は、液晶表示部４０１とキーボード２０４から構成されている。操作部１０６は、コントローラ１０１からの情報を表示するとともにユーザからの指示をコントローラ１０１へ伝える。操作部１０６から実行できる機能は、ネットワークインターフェース１０５に接続されたＰＣ１０７からも実行可能である。
【００１４】
コントローラ１０１は、ＣＰＵ（制御部）２０１、メモリ（記憶部）２０２、ＲＯＭ２１０及びハードディスク等のＤＩＳＫ（記憶部）２１１を有する。ＣＰＵ２０１は、バス２０９を介して、メモリ２０２、操作部１０６、ＲＯＭ２１０及びＤＩＳＫ２１１に接続されている。各種プログラム及びデータは、ＤＩＳＫ２１１又はＲＯＭ２１０に保存されている。ＣＰＵ２０１は、必要に応じてＤＩＳＫ２１１又はＲＯＭ２１０からプログラム及びデータをメモリ２０２へ読み出し、プログラムを実行する。ＤＩＳＫ２１１は、ＭＦＰ１００に着脱可能であってもＭＦＰ１００に内蔵されたものでもよい。プログラムは、ＬＡＮ２２０又は公衆回線網１０９を介して他のＭＦＰからダウンロードされてＤＩＳＫ２１１へ保存されてもよい。
【００１５】
メモリ２０２は、揮発メモリであってもよいし、不揮発メモリであってもよいし、揮発メモリと不揮発メモリの両方の機能を備えていてもよい。あるいは、メモリ２０２が揮発メモリの機能を有し、ＤＩＳＫ２１１が不揮発メモリの機能を有するように構成されていてもよい。メモリ２０２及び／又はＤＩＳＫ２１１は、ＭＦＰ１００に対して取り外し可能なメモリメディアであってもよい。ＣＰＵ２０１は、操作部１０６の液晶表示部４０１にデータを書き込むことにより情報を表示する。ＣＰＵ２０１は、キーボード２０４又はタッチパネルになっている液晶表示部４０１からデータを読み出すことにより、ユーザからの指示を入力する。ＣＰＵ２０１へ入力された情報は、メモリ２０２、ＤＩＳＫ２１１又はＣＰＵ２０１に保存され、様々な処理に使用される。
【００１６】
バス２０９は、ネットワークインターフェース１０５に接続されている。ＣＰＵ２０１は、ネットワークインターフェース１０５からデータを読み込む又は書き込むことによりＰＣ１０７などの外部機器と双方向通信を行う。バス２０９は、モデム１０８に接続されている。ＣＰＵ２０１は、モデム１０８を使用し、公衆回線網１０９を通してファクシミリ画像の送信又は受信を行う。バス２０９は、プリンタエンジン１０３、フィニッシャ１０４及びスキャナエンジン１０２に接続されている。ＣＰＵ２０１は、プリンタエンジン１０３、フィニッシャ１０４及びスキャナエンジン１０２にデータの読み書きを行い、プリント（画像形成）、製本及びスキャン（画像読取）の動作および各種ステータスの取得を行う。画像データは、スキャナエンジン１０２又はネットワークインターフェース１０５からコントローラ１０１へ入力され、ＤＩＳＫ２１１又はメモリ２０２に保存される。あるいは、取り外し可能なメモリメディアに予め画像データを保存し、メモリメディアをＭＦＰ１００に装着することにより、画像データをメモリメディアからコントローラ１０１へ取り込むことも可能である。
【００１７】
なお、本実施例の画像形成装置は、ＭＦＰ１００に限らず、ＳＦＰ（Single Function Printer）であってもよい。また、スキャナ部３０１、プリンタ部３０２及びフィニッシャ１０４は、ＭＦＰ１００の内部ではなく、ＬＡＮ２２０又は公衆回線網１０９上にそれぞれ単体の周辺機器として設けられ、コントローラ１０１により制御されてもよい。
【００１８】
（操作部）
図３を参照して、操作部１０６を説明する。図３は、操作部１０６を示す図である。液晶表示部４０１は、液晶上にタッチパネルシートが貼られている。液晶表示部４０１は、操作画面及びソフトキーを表示する。液晶表示部４０１は、表示されたソフトキーがユーザによりタッチされるとその位置情報をコントローラ１０１のＣＰＵ２０１へ伝える。キーボード２０４は、スタートキー４０２、ストップキー４０４、テンキー４０５及びユーザモードキー４０６を有する。例えば、原稿の画像を読み取る場合、ユーザによりスタートキー４０２が押されると原稿の画像の読み取り動作が開始される。スタートキー４０２の中央部には、緑と赤の２色ＬＥＤ４０３が設けられている。２色ＬＥＤ４０３が緑色に発光している場合、スタートキー４０２は、使用可能な状態にある。２色ＬＥＤ４０３が赤色に発光している場合、スタートキー４０２は、使用できない状態にある。ストップキー４０４が押されると、稼働中の動作が停止される。テンキー４０５は、数字と文字のボタン群で構成されている。ユーザは、テンキー４０５を用いて、コピー部数を設定したり、液晶表示部４０１の画面切り換えを指示したりする。ユーザモードキー４０６は、機器設定を行う時にユーザにより押される。
【００１９】
（（用紙属性設定画面））
図４を参照して、コントローラ１０１のＣＰＵ２０１からの指示により液晶表示部４０１に表示される用紙属性編集画面５０１及び用紙属性設定画面５０４の一例を説明する。図４は、用紙属性編集画面５０１及び用紙属性設定画面５０４を示す図である。図４（ａ）に示す用紙属性編集画面５０１には、編集可能な用紙種類としての用紙識別子（以下、用紙ＩＤという）５０２が表示される。例えば、ユーザが用紙ＩＤ１を選択し、編集ボタン５０３をタッチすると、図４（ｂ）に示す用紙属性設定画面５０４が液晶表示部４０１に表示される。用紙属性設定画面５０４には、用紙ＩＤ１の用紙属性（属性情報）５０５の設定値が表示される。用紙属性５０５は、クリープ（ずれ）補正量の調整、光沢性の調整、二次転写電圧の調整、トナー量調整モード及び印刷面優先モード（第二のモード）を含む。ユーザは、用紙属性設定画面５０４において用紙属性５０５の設定値を変更できる。用紙属性５０５は、メモリ（記憶部）２０２に保存される。印刷面優先モード５０６は、用紙を垂直方向へ搬送しながら用紙に印刷する構成(縦パス機)かつ片面印刷の際も両面印刷用の再搬送路６１２（図７）を通すか否かを判断するための属性である。印刷面優先モード５０６がＯＮである場合、縦パス機かつ片面印刷の場合に用紙の第一面（上面）に印刷せずに用紙を両面印刷用の再搬送路６１２へ通し、用紙を反転した後、用紙の第一面とは反対の第二面（下面）に表面の画像を印刷する。これにより、片面印刷と両面印刷ともに、給送カセット６０１にセットされた用紙の下面に表面の画像が印刷され、表面の画像が印刷された下面を下に向けて排出部６０５へ用紙が排出される。
【００２０】
（用紙の搬送経路）
図５を用いて、本実施例のＭＦＰ１００の片面印刷において印刷面優先モード５０６がＯＦＦである場合の用紙Ｓの搬送経路を説明する。図５は、片面印刷において印刷面優先モード５０６がＯＦＦである場合の用紙Ｓの搬送経路を示す図である。ＣＰＵ２０１は、受け付けた印刷ジョブの設定から、印刷設定が片面印刷であるか両面印刷であるかを示す情報を取得する。また、ＣＰＵ２０１は、受け付けた印刷ジョブに含まれる用紙種類に対応する用紙属性から印刷面優先モードがＯＮであるか否かを判断する。片面印刷において印刷面優先モード５０６がＯＦＦである場合、ＭＦＰ１００は、速度優先モード（第一のモード）で動作する。ＭＦＰ１００は、用紙Ｓを垂直方向へ搬送しながら用紙Ｓに印刷する構成（以下、縦パス機という）である。搬送路６１１は、給送ローラ６２１から転写部６０２及び定着部６０４を通り排出ローラ６２２へ延在する。図５において、説明のために、給送カセット６０１に積載された用紙Ｓの上面に△マークを付与してある。
【００２１】
給紙部としての給送カセット６０１は、複数の給紙段（以下、給紙部という）からなる。本実施例において、複数の給紙部は、第一給紙部６３１、第二給紙部６３２、第三給紙部６３３及び第四給紙部６３４を有する。複数の給紙部は、更に、手差トレイとしての第五給紙部６３５を有していてもよい。用紙Ｓは、給送ローラ６２１により給送カセット６０１から位置Ｐ１へ搬送される。位置Ｐ１で、トナー像は、転写部６０２により用紙Ｓへ転写される。用紙Ｓは、位置Ｐ２へ搬送される。位置Ｐ２で、トナー像は、定着部６０４により用紙Ｓに定着される。上面に表面の画像が形成された用紙Ｓは、表面の画像が形成された上面を下に向けて排出ローラ６２２により排出部６０５へ排出される。このように、片面印刷において印刷面優先モード５０６がＯＦＦである場合、給送カセット６０１へセットされた用紙Ｓの上面に表面の画像が形成され、表面の画像が形成された上面を下に向けて用紙Ｓが排出部６０５へ排出される。なお、ここでは、片面印刷において形成される画像を表面の画像という。
【００２２】
図６を用いて、本実施例のＭＦＰ１００の両面印刷における用紙Ｓの搬送経路を説明する。再搬送路６１２は、定着部６０４と排出ローラ６２２の間から給送ローラ６２１と転写部６０２の間へ延在する。再搬送路６１２には、反転部６２４が設けられている。反転部６２４は、反転路６１３及び反転ローラ６２３が設けられている。反転部６２４は、搬送路６１１上を搬送され、プリンタ部３０２を通過した用紙Ｓを反転させて、再搬送路６１２へ搬送させる。図５と同様に、図６において、説明のために、給送カセット６０１に積載された用紙Ｓの上面に△マークを付与してある。給送カセット６０１から給送された用紙Ｓの上面（第一面）への裏面の画像の形成のための用紙Ｓの搬送は、図５と同様であるので、図６では図示を省略する。用紙Ｓの上面（第一面）へ裏面の画像が定着された後、用紙Ｓは、搬送路切替えフラッパ（不図示）の作用により反転路６１３の位置Ｐ３へ搬送される。用紙Ｓは、反転ローラ６２３の逆転によりスイッチバックされ、用紙Ｓの後端を先端にして位置Ｐ３から再搬送路６１２上の位置Ｐ４へ搬送される。用紙Ｓは、再び、搬送路６１１へ戻り、位置Ｐ１で転写部６０２により用紙Ｓの下面（第二面）へ表面のトナー像が転写される。用紙Ｓは、位置Ｐ２で定着部６０４により用紙Ｓの下面（第二面）に表面のトナー像が定着される。下面（第二面）に表面の画像が形成された用紙Ｓは、表面の画像が形成された下面（第二面）を下に向けて排出ローラ６２２により排出部６０５へ排出される。このように、両面印刷において、給送カセット６０１へセットされた用紙Ｓの下面（第二面）に表面の画像が形成され、表面の画像が形成された下面（第二面）を下に向けて用紙Ｓが排出部６０５へ排出される。なお、ここでは、両面印刷において用紙Ｓの両面に形成されるべき二つの画像のうち先の頁の画像を表面の画像といい、後の頁の画像を裏面の画像という。両面印刷においては、後の頁の画像である裏面の画像が先の頁の画像である表面の画像より先に用紙Ｓに形成される。
【００２３】
本実施例において、プレパンチ紙、プレ印刷紙、レターヘッド又はラベル紙などの表面と裏面が異なる用紙Ｓへ画像を印刷する場合、用紙Ｓの表面を下に向けて用紙Ｓが給送カセット６０１に積載される。手差トレイとしての第五給紙部６３５の場合、用紙Ｓの表面を上に向けて用紙Ｓが第五給紙部６３５に積載される。ユーザは、用紙Ｓの用紙ＩＤの印刷面優先モードをＯＮに設定する。両面印刷の場合、上述したように、給送カセット６０１へセットされた用紙Ｓの上面（裏面）に裏面の画像が形成され、用紙Ｓの下面（表面）に表面の画像が形成され、表面の画像が形成された下面（表面）を下に向けて用紙Ｓが排出部６０５へ排出される。片面印刷において印刷面優先モード５０６がＯＮである場合、用紙Ｓは、図５に示す搬送経路ではなく図６に示す両面印刷用の搬送経路に沿って搬送される。ただし、給送カセット６０１へセットされた用紙Ｓの上面（裏面）には画像が形成されず、用紙Ｓの下面（表面）に表面の画像が形成され、表面の画像が形成された下面（表面）を下に向けて用紙Ｓが排出部６０５へ排出される。
【００２４】
本実施例においては、両面印刷と印刷面優先モードがＯＮに設定された片面印刷のどちらにおいても給送カセット６０１に積載された用紙Ｓの下面（第二面）に表面の画像が形成される。そして、両面印刷と印刷面優先モードがＯＮに設定された片面印刷のどちらにおいても表面の画像が形成された下面（表面）を下に（同じ向きに）向けて用紙Ｓが排出部６０５へ排出される。
【００２５】
（用紙属性設定における禁止動作）
図７は、ＣＰＵ２０１により実行される用紙属性設定における禁止動作を示す流れ図である。本実施例において、コントローラ１０１のＣＰＵ２０１は、用紙を再搬送路６１２へ通して片面印刷ができない用紙種類の用紙属性に対して印刷面優先モードが設定されることを禁止する。禁止動作のプログラムは、ＲＯＭ２１０又はＤＩＳＫ２１１に保存されている。ＣＰＵ２０１は、プログラムをＲＯＭ２１０又はＤＩＳＫ２１１からメモリ２０２へ読み出し、禁止動作を実行する。
【００２６】
禁止動作が開始されると、Ｓ８０１において、ＣＰＵ２０１は、用紙属性設定画面５０４（図４（ｂ））で設定された用紙属性５０５を取得する。Ｓ８０２において、ＣＰＵ２０１は、Ｓ８０１で取得した用紙属性から、印刷面優先モード５０６がオンであるか否かを判断する。印刷面優先モードがオフである場合（Ｓ８０２でＮＯ）、ＣＰＵ２０１は、禁止動作を終了する。一方、印刷面優先モードがオンである場合（Ｓ８０２でＹＥＳ）、ＣＰＵ２０１は、Ｓ８０３において、ＣＰＵ２０１は、印刷パス構成を取得する。Ｓ８０４において、ＣＰＵ２０１は、Ｓ８０３で取得した印刷パス構成が縦パス機であるか否かを判断する。すなわち、ＣＰＵ２０１は、用紙が搬送される印刷パス構成が、給紙部に積載された用紙の上面が片面印刷と両面印刷とで異なる向き（上向きと下向き）に排出される縦パス構成（搬送路）であるか否かを判断する。印刷パス構成が縦パス機でない場合（Ｓ８０４でＮＯ）、ＣＰＵ２０１は、禁止動作を終了する。一方、印刷パス構成が縦パス機である場合（Ｓ８０４でＹＥＳ）、ＣＰＵ２０１は、Ｓ８０５において、用紙種類が印刷面優先モードで再搬送路６１２を通して片面印刷できる用紙を表しているか否かを判断する。用紙種類が再搬送路６１２を通して片面印刷できる用紙である場合（Ｓ８０５でＹＥＳ）、ＣＰＵ２０１は、禁止動作を終了する。一方、用紙種類が再搬送路６１２を通して片面印刷できない用紙である場合（Ｓ８０５でＮＯ）、ＣＰＵ２０１は、Ｓ８０６において、ユーザへ注意を喚起する画面を液晶表示部４０１に表示する。
【００２７】
印刷面優先モードで再搬送路６１２を通して片面印刷できない用紙は、例えば、裏紙である。裏紙は、片面印刷された用紙の裏面だけ白紙として利用できる用紙である。裏紙の白紙面を上にして給紙部にセットされている場合、印刷面優先モードで再搬送路６１２を通して反転した裏紙の印刷面に画像を形成することになる。そこで、これを防止するために、ユーザへ注意を喚起する。図８は、ユーザへ注意を喚起する画面の例を示す図である。図８（ａ）は、用紙属性設定画面５０４の用紙属性５０５の上に重ねて表示されるメッセージ「設定できません」の画面（警告画面）１００１を示す図である。図８（ｂ）は、用紙属性設定画面５０４の用紙属性５０５の上に重ねて表示されるメッセージ「両面できない用紙のためオモテ面を上にして置いてください」の画面（警告画面）１００２を示す図である。ＣＰＵ２０１は、ユーザへ注意を喚起する画面を液晶表示部４０１に表示した後、禁止動作を終了する。
【００２８】
以上のように、本実施例によれば、用紙を再搬送路６１２へ通して片面印刷ができない場合に対して、用紙を再搬送路６１２へ通して片面印刷する印刷面優先モードが誤って設定されないようにユーザへ注意を喚起する画面を表示することができる。
【実施例２】
【００２９】
以下、実施例２を説明する。実施例２において、実施例１と同様の構造には、同様の参照符号を付して説明を省略する。実施例２のＭＦＰ１００、制御システム１０、操作部１０６、用紙属性設定画面５０４、用紙の搬送経路および用紙属性設定における禁止動作は、実施例１と同様であるので説明を省略する。実施例１では、用紙を再搬送路６１２へ通して片面印刷ができない用紙種類の用紙属性に対して印刷面優先モードが設定されることが禁止される。実施例２では、更に、再搬送路６１２へ用紙を搬送できない給紙部に対して印刷面優先モードがＯＮに設定されている用紙属性が設定されることが禁止される。再搬送路６１２へ用紙を搬送できない給紙部は、例えば、ＭＦＰ１００のプリンタ部３０２とフィニッシャ１０４との間に配置されるインサータ（不図示）の給紙部である。インサータは、原稿又は画像が形成された用紙（印刷済み用紙）をプリンタ部３０２の搬送路６１１及び再搬送路６１２を経由せずにフィニッシャ１０４へ給送し、プリンタ部３０２により画像が形成された用紙に用紙を挿入する。
【００３０】
図９を参照して、コントローラ１０１のＣＰＵ２０１からの指示により液晶表示部４０１に表示される用紙設定画面９０１及び用紙ＩＤ設定画面９０３の一例を説明する。図９は、用紙設定画面９０１及び用紙ＩＤ設定画面９０３を示す図である。図９（ａ）に示す用紙設定画面９０１上に第一給紙部６３１から第四給紙部６３４の設定が表示される。ユーザが給紙部を選択して設定ボタン９０２にタッチすると、図９（ｂ）に示す用紙ＩＤ設定画面９０３が液晶表示部４０１に表示される。ユーザは、用紙ＩＤ設定画面９０３において給紙部の用紙ＩＤを変更できる。
【００３１】
（用紙ＩＤ設定における禁止動作）
以下、実施例２の用紙ＩＤ設定における禁止動作を説明する。図１０は、ＣＰＵ２０１により実行される用紙ＩＤ設定における禁止動作を示す流れ図である。本実施例において、コントローラ１０１のＣＰＵ２０１は、両面印刷ができない給紙部に対して印刷面優先モードがＯＮに設定されている用紙属性が設定されることを禁止する。禁止動作のプログラムは、ＲＯＭ２１０又はＤＩＳＫ２１１に保存されている。ＣＰＵ２０１は、プログラムをＲＯＭ２１０又はＤＩＳＫ２１１からメモリ２０２へ読み出し、禁止動作を実行する。
【００３２】
禁止動作が開始されると、Ｓ１１０１において、ＣＰＵ２０１は、用紙ＩＤ設定画面９０３（図９（ｂ））で設定された用紙ＩＤに対応する用紙属性５０５を取得する。Ｓ１１０２において、ＣＰＵ２０１は、Ｓ１１０１で取得した用紙属性から、印刷面優先モード５０６がオンであるか否かを判断する。印刷面優先モードがオフである場合（Ｓ１１０２でＮＯ）、ＣＰＵ２０１は、禁止動作を終了する。一方、印刷面優先モードがオンである場合（Ｓ１１０２でＹＥＳ）、ＣＰＵ２０１は、Ｓ１１０３において、印刷パス構成を取得する。Ｓ１１０４において、ＣＰＵ２０１は、Ｓ１１０３で取得した印刷パス構成が縦パス機であるか否かを判断する。すなわち、ＣＰＵ２０１は、用紙が搬送される印刷パス構成が、給紙部に積載された用紙の上面が片面印刷と両面印刷とで異なる向き（上向きと下向き）に排出される縦パス構成（搬送路）であるか否かを判断する。印刷パス構成が縦パス機でない場合（Ｓ１１０４でＮＯ）、ＣＰＵ２０１は、禁止動作を終了する。一方、印刷パス構成が縦パス機である場合（Ｓ１１０４でＹＥＳ）、ＣＰＵ２０１は、用紙ＩＤが設定される給紙部から再搬送路６１２へ用紙を搬送できるか否かを判断する。再搬送路６１２へ用紙を搬送できる給紙部である場合（Ｓ１１０５でＹＥＳ）、ＣＰＵ２０１は、禁止動作を終了する。一方、再搬送路６１２へ用紙を搬送できない場合（Ｓ１１０５でＮＯ）、ＣＰＵ２０１は、Ｓ１１０６において、ユーザへ注意を喚起する画面を液晶表示部４０１に表示する。図１１は、ユーザへ注意を喚起する画面の例を示す図である。図１１（ａ）は、用紙設定画面９０１の上に重ねて表示されるメッセージ「設定できません」の画面（警告画面）１２０１を示す図である。図１１（ｂ）は、用紙設定画面９０１の上に重ねて表示されるメッセージ「両面できない用紙のためオモテ面を上にして置いてください」の画面（警告画面）１００２を示す図である。ＣＰＵ２０１は、ユーザへ注意を喚起する画面を液晶表示部４０１に表示した後、禁止動作を終了する。なお、インサータのようなプリンタ部３０２から排出された用紙に挿入される用紙を給送する給紙部に対しては、図１１（ｂ）に示す画面１００２は、表示されない。
【００３３】
以上のように、本実施例によれば、再搬送路６１２へ用紙を搬送できない給紙部に対して、印刷面優先モードが設定された用紙ＩＤが誤って設定されないようにユーザへ注意を喚起する画面を表示することができる。
【符号の説明】
【００３４】
１００・・・ＭＦＰ（画像形成装置）
１０６・・・操作部
２０１・・・ＣＰＵ（制御部）
３０２・・・プリンタ部（画像形成部）
６０１・・・給送カセット（給紙部）
６０５・・・排出部
６１１・・・搬送路
６１２・・・再搬送路
６２４・・・反転部
【図１】
2019161533.tif 000003
【図２】
2019161533.tif 000004
【図３】
2019161533.tif 000005
【図４】
2019161533.tif 000006
【図５】
2019161533.tif 000007
【図６】
2019161533.tif 000008
【図７】
2019161533.tif 000009
【図８】
2019161533.tif 000010
【図９】
2019161533.tif 000011
【図１０】
2019161533.tif 000012
【図１１】
2019161533.tif 000013